(57)【要約】【課題】入院患者に対し中型液晶テレビの観賞において最適の環境を提供することを目的とする。【解決手段】ベッド用テレビスタンドの脚部２はキャスターによる移動式であり、中型液晶テレビを取り付けるための支柱を固着し備える。支柱は固定下部支柱３と摺動外部支柱４と摺動内部支柱５と回動部６とから形成され昇降可能となる。更に支柱は湾曲形状であり内側へ傾倒するため、中型液晶テレビが最上位置においても患者の目線に対し適正な画面角度を提供することができる。【選択図】図２
2014222792.tif 000002
【特許請求の範囲】
【請求項１】
キャスターを備えた移動式テレビスタンドにおいて、該スタンドの支柱を固定下部支柱３と摺動外部支柱４と摺動内部支柱５と回動部６とから形成し、且つ内側へ傾倒する湾曲形状をもって摺動機構を備えることを特徴とするベッド用テレビスタンド。
【発明の詳細な説明】
【技術分野】
【０００１】
本発明は、ベッド横に設置するテレビ用のスタンドに関するものである。
【背景技術】
【０００２】
病院内において入院患者がテレビを観賞する際に適切な目線を確保すべき考案が多数なされ、(例えば、特許文献１参照。)の場合ベッド脇に配する床頭台に小型液晶テレビを備え、該小型液晶テレビを前後左右に移動可能とし、且つ画面角度も変更可能とする形態がみられる。この床頭台に備える形態は多くの考案がなされている。
【０００３】
又(例えば、特許文献２参照。)においては設置場所の移動が可能であるディスプレイスタンドが考案されている。更には足元方向に昇降式のテレビ内蔵型キャビネット (例えば、特許文献３参照。)も考案され、入院患者におけるテレビ観賞に対する考案は多岐にわたるものである。
【先行技術文献】
【特許文献】
【０００４】
【特許文献１】特開平１１−２７６５３０号公報
【特許文献２】実用新案登録第３０８５７２０号公報
【特許文献３】特開２００６−０６０３５０号公報
【発明の概要】
【発明が解決しようとする課題】
【０００５】
しかし特許文献１においては、床頭台に備える為設置場所を移動することはできず、患者が反対側へ横臥しての観賞はできない。又仰臥の場合でも不適切であり床頭台側へ横臥した時のみ効果を生ずるものである。この場合でも画面に対し目線は水平とならず観賞においても不適切である。
【０００６】
又特許文献２においては、設置場所の移動が容易であり、例えばベッド側方の中央部に配置した場合、非常に見易い位置といえる。しかしベッドの足元側へ配置した場合小型液晶テレビの為観賞に相応しくない大きさである。昨今の中型液晶テレビの普及率からみてもその必要性は入院患者にとっても重要な要素であり、むしろテレビの利用度が高い入院患者こそ中型液晶テレビでの観賞を望むものである。
【０００７】
そこで中型液晶テレビを足元側に設置した特許文献３が効果を奏するものである。足元側にテレビを配置した場合仰臥時においては上体がやや起きた状態で観賞することができ、横臥時でもやや斜めの姿勢をとったり、上体や首を少し丸くすることにより容易に観賞することができる。しかし仰臥時、特に上半身が起きていない状態の場合は配置されたテレビの高さが低いことから観賞することができない。又テレビ内蔵型キャビネットが大きい為スペースの問題も抱えることとなる。
【０００８】
そこで入院患者に対し、中型液晶テレビを観賞するにあたり、最適の環境を提供することを目的とする。
【課題を解決するための手段】
【０００９】
本発明によるベッド用テレビスタンド（以下スタンドという）は移動式の脚部に中型液晶テレビ設置用の支柱を一体とし、該支柱はベッドの内側へ湾曲内倒する形状である。（図１参照）。該スタンドの最大の特徴でもある内倒する形状は従来の直立型スタンドに対し、その形状ゆえにテレビの高さを最上位置に設置した場合でも重心が脚部の略中心に位置し安定を得ることができ、脚部もベッド下へ納めることができ、ベッド周りでも作業に支障を来すことはない。
【００１０】
取り付けられた中型液晶テレビは該支柱を利用し上下する構造とすることで患者のテレビ観賞における姿勢に対し各各の設置方法にて対応することができる。患者のテレビ観賞における姿勢とは、左右の横臥時、又上半身がやや起きた状態、例えば電動ベッドを３０度起こした状態、そして略仰臥の状態と大きく四通りの姿勢に分けられる。
【００１１】
まず左右の横臥時に対応する配置はスタンドをベッド横に配置することで対応できるものである。又上体がやや起きた姿勢にはスタンドを足元側に配置しテレビ高さを定位置にて観賞できるものであり、仰臥時においては枕を利用した状態だけで、テレビ高さを最上位置にて観賞が可能となる。
【発明の効果】
【００１２】
これらにより患者の姿勢に各各対応することができ、又テレビ高が最上位置においても患者の目線に適応した画面角度となり電動等による画面角度の調整機構は必要としない。又テレビ画面との距離も殆ど変わることなく適切な観賞環境といえる。
【００１３】
足元にテレビを配する方法は目線が伏角となる為観賞時の目に対する負担は少ないものである。床頭台に配されたテレビを観賞する場合は目線も仰角となることも多く適切な配置とはいえない。又画像を水平にて観賞することもできず、よって足元にテレビを配する方法こそが患者にとっての最良の観賞方法といえる。当然中型液晶テレビによるものである。
【００１４】
脚部においてはベッド下へ納まり周囲での作業にも支障をきたすことはなく、スタンドの移動も容易でありベッドごとの患者の移動にも何ら問題とはならない。又テーブルを併設することもでき小物収納や点滴器具を保持することも容易である。
【図面の簡単な説明】
【００１５】
【図１】本発明によるベッド用テレビスタンドの定位置側面図
【図２】本発明によるベッド用テレビスタンドの高位置側面図
【図３】本発明によるベッド用テレビスタンドの正面図
【図４】本発明によるベッド用テレビスタンドのベッド横配置図の平面図
【発明を実施するための形態】
【００１６】
形態について詳しく説明をすると、まず脚部２は角型パイプ等で略正方形に形成される。脚部の大きさにおいては支柱の傾斜状態、つまり中型液晶テレビの位置による重量バランスにより決定されるものである。又移動に供するキャスター１０ａ・１０ｂを四隅に設け、後輪である２個のキャスター１０ｂにはストッパーが装備される。スタンドの移動が頻繁な場合は足踏みペダルによって後輪である２個のキャスター１０ｂに対し同時にストッパー機能が働く構造とする。この脚部２には支柱の安定を保持するための支保フレーム７が併設される。この支保フレーム７は必ずしも必要ではないが、強度を考慮した場合有利といえる。又スタンドを移動する際には取り扱いが容易であり、小物入れやテーブルを備えるにあたり機能面で有効である。
【００１７】
次に支柱の形状においては下部支柱と上部支柱に分けられ、下部支柱は脚部２と脚部２に併設された支保フレーム７とに固着された固定下部支柱３である。上部支柱は内側へ湾曲した形状で且つ伸縮機能を備える摺動外部支柱４と摺動内部支柱５とによって構成される。断面形状は円形及び矩形等に限定されるものではないが、摺動機能を有するには円形が有利と考えられる。
【００１８】
更に摺動内部支柱５の最上部には回動自在となる回動部６を設け、該回動部６にテレビを取り付ける形状である。該回動部６は支柱が内倒するにも関わらず、水平に回動する構造であり、これはスタンドをベッド横足元近くに設置した際テレビ画面を患者の目線側へ回動した場合に生ずるテレビ画面の傾きを防ぐ構造である。回動部６の停止状態を維持する構造としては、負荷をもたせる方法やラチェット効果によるものなどが考えられる。当然電動式には不要となる。
【００１９】
又支柱を二本備えることにより、安定性をより高める方法も考えられるが回動部を構成するにあたり、支柱の最上部を一本の支柱として構成する必要があり又支柱による占有面積も広く周囲での作業に支障をきたすことから本考案による支柱の形状が最良と考えられる。
【００２０】
伸縮機構はベルトやチェーン等を用いた機械式により、ハンドルを回す操作にて人力による形態が必要となる。しかし要介護者の多い病院内においては電動によるところが必然となる。例えばベルトや歯車を用い電動モータにて伸縮機構を構成することは容易であり、又アクチュエータによる空気シリンダや油圧シリンダの利用は適応性が高いといえる。しかし支柱内部にシリンダを備えることは支柱の形状が湾曲していることから、支柱を太くして対応しなければならず適切とはいえない。この場合は回動部６の直下に備えることとなる。しかしシリンダとはいえ湾曲形状のシリンダを製作することは、さして難しいことでなく利用可能の範囲といえる。
【００２１】
次に電源などの配線に関わる構造として、スタンドの移動が容易となるためにはベッド下に配線をし、その先端部を専用コネクタとする。該ベッド下のコネクタとスタンド側のコネクタとの脱着によりスタンドの移動が容易となる。又テレビの昇降時に必要となるコードの伸縮に対してはカールコードにて対応する等容易な構造であり、支柱内に形成する方法が好ましい。
【００２２】
次に付属設備について述べると、まず小型のテーブルを備え収納時は下方へ折り畳み使用時は水平位置にて利用する。又小物入れ用のカゴを支持フレーム７に備えたり、脚部に靴置き等も併設が容易である。又フックを備えると点滴等に利用でき専用スタンドを持ち込む必要もなくなる。
【００２３】
操作方法においては患者の状態にもより、リモコンにて昇降及び回動を操作する方法が必要となる。又自宅和室にてベッドを利用しない場合は脚部を平板のベースプレートとすることで対応可能となる。
【符号の説明】
【００２４】
１    中型液晶テレビ
２    脚部
３    固定下部支柱
４    摺動外部支柱
５    摺動内部支柱
６    回動部
７    支保フレーム
１０ａ  前輪キャスター
１０ｂ  後輪キャスター
１１    ベッド
【図１】
2014222792.tif 000003
【図２】
2014222792.tif 000004
【図３】
2014222792.tif 000005
【図４】
2014222792.tif 000006